(57)【要約】【課題】被施術者や施術者の視覚に対する影響を抑え、施術者が早期に施術に着手することができる診療用ＬＥＤ照明装置を提供する。【解決手段】消灯状態または点灯状態への変化の過程で照度を徐々に変化させる制御部を備えて診療用ＬＥＤ照明装置を構成する。【選択図】図１
2019117719.tif 000002
【特許請求の範囲】
【請求項１】
消灯状態または点灯状態への変化の過程で照度を徐々に変化させる制御部が備えられた、
ことを特徴とする診療用ＬＥＤ照明装置。
【請求項２】
消灯状態から点灯状態までの点灯時間が、０．３秒以上である、
ことを特徴とする請求項１に記載された診療用ＬＥＤ照明装置。
【請求項３】
消灯状態から点灯状態までの点灯時間が、１．５秒以下である、
ことを特徴とする請求項１または請求項２に記載された診療用ＬＥＤ照明装置。
【請求項４】
前記点灯時間における照度が、線形で上昇した後に非線形で上昇する、
ことを特徴とする請求項１から請求項３のいずれか１項に記載された診療用ＬＥＤ照明装置。
【請求項５】
点灯状態から消灯状態までの消灯時間が、０．２秒以上であり、かつ、０．３秒以下である、
ことを特徴とする請求項１から請求項４のいずれか１項に記載された診療用ＬＥＤ照明装置。
【発明の詳細な説明】
【技術分野】
【０００１】
本発明は、歯科医院などの医療施設で用いられる診療用ＬＥＤ照明装置に関するものである。
【背景技術】
【０００２】
歯科医院などの医療施設では、従来のハロゲンライトに替えてＬＥＤを用いた照明装置が利用されている。例えば、歯科医院では、下記特許文献１に記載された歯科用照明器で被施術者の口元が照らされた状態で、歯科医師または歯科衛生士（以下、「歯科医師等」と記す。）が診療を行う。ＬＥＤ照明は、半導体であることから、電源が入って電力が供給されると、予め設定された照度に瞬時に達して点灯する。照度を変化させる場合や、消灯する場合も、ＬＥＤ照明は、瞬時に照度が変化し、また、瞬時に消灯する。一方で、ハロゲンライトは、通電に伴ってフィラメントが発光する構造であるため、照度が徐々に変化する。
【先行技術文献】
【特許文献】
【０００３】
【特許文献１】特開２０１５−３５３７２号公報
【発明の概要】
【発明が解決しようとする課題】
【０００４】
上記したとおり、ＬＥＤ照明は、照度の変化が瞬間的であるため、ハロゲンライトと比較して、周囲の明暗が極端に変化する。すると、網膜の働きから、明順応や暗順応が起こり、被施術者や歯科医師等は、明暗の変化に対応するために時間を要する。すなわち、眩しさから、被施術者は不安を感じ、歯科医師等は光に目が慣れるまで診療を行うことができない。したがって、診療が始まる時間が遅れる。
【０００５】
本発明は、上記の実情に鑑みて提案されたものである。すなわち、被施術者や施術者の視覚に対する影響を抑え、施術者が早期に施術に着手することができる診療用ＬＥＤ照明装置の提供を目的とする。
【課題を解決するための手段】
【０００６】
上記目的を達成するために、本発明に係る診療用ＬＥＤ照明装置は、消灯状態または点灯状態への変化の過程で照度を徐々に変化させる制御部が備えられた、ことを特徴とする。
【０００７】
本発明に係る診療用ＬＥＤ照明装置は、消灯状態から点灯状態までの点灯時間が、０．３秒以上である、ことを特徴とする。
【０００８】
本発明に係る診療用ＬＥＤ照明装置は、消灯状態から点灯状態までの点灯時間が、１．５秒以下である、ことを特徴とする。
【０００９】
本発明に係る診療用ＬＥＤ照明装置は、前記点灯時間における照度が、線形で上昇した後に非線形で上昇する、ことを特徴とする。
【００１０】
本発明に係る診療用ＬＥＤ照明装置は、点灯状態から消灯状態までの消灯時間が、０．２秒以上であり、かつ、０．３秒以下である、ことを特徴とする。
【発明の効果】
【００１１】
本発明に係る診療用ＬＥＤ照明装置は、消灯状態または点灯状態への変化の過程で照度を徐々に変化させる制御部が備えられている。すなわち、診療用ＬＥＤ照明装置が、消灯状態から点灯状態に変化する過程において、ＬＥＤ照明の照度が徐々に上昇するため、被施術者や施術者が視覚に刺激を感じることが抑えられる。したがって、被施術者や施術者の視覚に対する影響を抑え、施術者が早期に施術に着手することができる。また、診療用ＬＥＤ照明装置が、点灯状態から消灯状態に変化する過程において、ＬＥＤ照明の照度が徐々に下降する。したがって、被施術者や施術者の視覚に対する影響を抑え、被施術者や施術者が早期に次の動作に移ることができる。換言すれば、診療用ＬＥＤ照明装置は、ハロゲンライトの照度の変化を疑似的に実現することができる。
【００１２】
本発明に係る診療用ＬＥＤ照明装置は、消灯状態から点灯状態までの点灯時間が、０．３秒以上である。すなわち、点灯時間が０．３秒以上であれば、被施術者や施術者が視覚に刺激を感じることが抑えられる。したがって、被施術者や施術者の視覚に対する影響を抑え、施術者が早期に施術に着手することができる。
【００１３】
本発明に係る診療用ＬＥＤ照明装置は、消灯状態から点灯状態までの点灯時間が、１．５秒以下である。すなわち、点灯時間が１．５秒以下であれば、施術者が、点灯の遅れや施術への着手の遅れを感じることが抑えられる。したがって、施術者が快適に施術に着手することができる。
【００１４】
本発明に係る診療用ＬＥＤ照明装置は、点灯時間における照度が、線形で上昇した後に非線形で上昇する。この構成により、点灯状態の直前において照度が緩やかに変化するため、被施術者や施術者が視覚に刺激を感じることが抑えられる。したがって、被施術者や施術者の視覚に対する影響を抑え、施術者が早期に施術に着手することができる。
【００１５】
本発明に係る診療用ＬＥＤ照明装置は、点灯状態から消灯状態までの消灯時間が、０．２秒以上であり、かつ、０．３秒以下である。すなわち、消灯時間が所定の範囲であれば、被施術者や施術者の視覚に対する影響を抑え、被施術者や施術者が早期に次の動作に移ることができる。
【図面の簡単な説明】
【００１６】
【図１】図１は、本発明の実施形態に係る診療用ＬＥＤ照明装置に関する点灯時間対照度のグラフである。
【図２】図２は、本発明の実施形態に係る診療用ＬＥＤ照明装置に関する点灯時間対照度のグラフである。
【図３】図３は、本発明の実施形態に係る診療用ＬＥＤ照明装置に関する点灯時間対照度のグラフである。
【発明を実施するための形態】
【００１７】
以下に、本発明の実施形態に係る診療用ＬＥＤ照明装置を説明する。なお、診療用ＬＥＤ照明装置は、様々な医療施設で用いられるが、以下では、診療用ＬＥＤ照明装置が、歯科医院の歯科治療設備に備えられている実施形態について説明されている。
【００１８】
診療用ＬＥＤ照明装置は、歯科医院に設置された歯科診療装置に備えられ、患者である被施術者の口元を照らす際に用いられる。歯科診療装置は、診療用ＬＥＤ照明装置の他、被施術者が横たわる診療シート、被施術者が口内に含んだ水を吐き出すためのスピットン、種々のインスツルメントが保持されたインスツルメント保持装置などを有している。
【００１９】
診療用ＬＥＤ照明装置は、ＯＮ−ＯＦＦスイッチと、消灯状態、中間点灯状態または完全点灯状態に変化するＬＥＤ照明と、ＯＮ−ＯＦＦスイッチからの信号を受けて、電源から供給された電力を制御することで各状態への変化の過程でＬＥＤ照明の照度や任意の光色を時系列的に徐々に変化させる制御部とを有している。ここで、消灯状態とは、ＬＥＤ照明が完全に消灯している状態をいう。また、ＬＥＤ照明の照度が、例えば、レベル１から５まであれば、完全点灯状態とは、照度がレベル５の状態をいい、中間点灯状態とは、照度がレベル１から４までの各状態をいう。
【００２０】
ＯＮ−ＯＦＦスイッチは、例えば、接点式のトグルスイッチ、タッチセンサ式、歯科医師等が手をかざすことで反応する非接触センサ式、インスツルメントの収納の有無を検知する方式など、任意である。ＬＥＤ照明は、光源である単一または複数のＬＥＤ素子と、このＬＥＤ素子から照射される光を集光するレンズと、このレンズを覆って保護するカバーと、適当な放熱構造とを有している。ＬＥＤ素子やカバーは、ハロゲンライトと近似した光色を実現することができる素材が選択される。制御部は、電力を供給するための電気回路と、プログラムされたマイコンを搭載した基板とを有している。なお、ＬＥＤ照明の照度や任意の光色を時系列的に徐々に変化させることができれば、制御部はどのような構成であってもよい。したがって、制御部は、例えばディレイ回路であり、可変抵抗器、コンデンサ、ダイオードなどから構成され、電流の流量や電圧の昇降を制御するものであってもよい。
【００２１】
制御部による制御によれば、消灯状態から完全点灯状態までに要する時間である点灯時間は、０．３秒以上である。すなわち、点灯時間が０．３秒以上であれば、被施術者や歯科医師等が視覚に刺激を感じることが抑えられる。また、点灯時間は、１．５秒以下である。すなわち、点灯時間が１．５秒以下であれば、歯科医師等が、点灯の遅れや診療への着手の遅れを感じることが抑えられる。なお、消灯状態から中間点灯状態までの点灯時間を０．３秒以上とし、また、１．５秒以下としてもよい。
【００２２】
図１から図３に示されているとおり、点灯時間におけるＬＥＤ照明の照度の変化は、線形であっても非線形であってもよい。すなわち、照度は、点灯時間と照度とが比例関係にある線形で上昇し、または、指数関数的、対数関数的に非線形で上昇してもよい。さらに、ＬＥＤ照明は、はじめに線形で上昇し、後に非線形で上昇する構成であってもよい。特に、完全点灯状態の直前で、照度が緩やかに上昇するように、非線形で照度が上昇することが好ましい。
【００２３】
制御部による制御によれば、完全点灯状態から消灯状態までに要する時間である消灯時間は、０．２秒以上であり、かつ、０．３秒以下である。すなわち、消灯時間が所定の範囲であれば、被施術者や歯科医師等の視覚に対する影響が抑えられる。なお、消灯時間におけるＬＥＤ照明の変化も、点灯時間の場合と同様に、線形であっても非線形であっても、線形と非線形との組み合わせであってもよい。
【００２４】
以上のとおり、診療用ＬＥＤ照明装置が構成されている。次に、診療用ＬＥＤ照明装置の実施例を説明する。
【００２５】
歯科診療装置の診療シートに被施術者が横たわり、診療用ＬＥＤ照明装置のＬＥＤ照明が、被施術者の口元から約６５０ミリメートル離れた位置に配置され、歯科医師等が被施術者を診療している環境を再現した。室内の照度は９４０ルクス、室温は２８．２度であった。この環境下で、点灯時間を「０．１秒」「０．２秒」「０．３秒」「０．４秒」「０．５秒」とした場合に、被施術者や歯科医師等を被験者とし、この被験者が、視覚に刺激を感じるか否かの官能評価試験を行った。試験結果を、下表１に示す。官能評価の指標は、「刺激を全く感じず変化が柔らかく感じる」「刺激を感じない」「さほど刺激を感じないが変化が急激に感じる」「刺激がある」の四段階である。
【００２６】
【表１】
2019117719.tif 000003
【００２７】
また、同じ環境下で、点灯時間を「１．０秒」「１．５秒」「２．０秒」「２．５秒」とした場合に、歯科医師等が、点灯の遅れや診療への着手の遅れを感じるか否かの官能評価試験を行った。試験結果を、下表２に示す。官能評価の指標は、「遅れを全く感じない」「さほど遅れを感じず待つ感じはない」「遅れを感じて待つ感じがある」の三段階である。
【００２８】
【表２】
2019117719.tif 000004
【００２９】
表１および表２に示されているとおり、試験の結果から、点灯時間が０．３秒以上であれば、被験者が視覚に刺激を感じることが抑えられることがわかる。また、点灯時間が１．５秒以下であれば、歯科医師等が、点灯の遅れや診療への着手の遅れを感じることが抑えられることがわかる。
【００３０】
次に、診療用ＬＥＤ照明装置の効果を説明する。
【００３１】
診療用ＬＥＤ照明装置によれば、消灯状態または点灯状態への変化の過程で照度を徐々に変化させる制御部が備えられている。すなわち、診療用ＬＥＤ照明装置が、消灯状態から点灯状態に変化する過程において、ＬＥＤ照明の照度が徐々に上昇するため、被施術者や歯科医師等が視覚に刺激を感じることが抑えられる。したがって、被施術者や歯科医師等の視覚に対する影響を抑え、歯科医師等が早期に診療に着手することができる。また、診療用ＬＥＤ照明装置が、点灯状態から消灯状態に変化する過程において、ＬＥＤ照明の照度が徐々に下降する。したがって、被施術者や歯科医師等の視覚に対する影響を抑え、被施術者や歯科医師等が早期に次の動作に移ることができる。
【００３２】
診療用ＬＥＤ照明装置によれば、消灯状態から点灯状態までの点灯時間が、０．３秒以上である。すなわち、点灯時間が０．３秒以上であれば、被施術者や歯科医師等が視覚に刺激を感じることが抑えられる。したがって、被施術者や歯科医師等の視覚に対する影響を抑え、歯科医師等が早期に診療に着手することができる。
【００３３】
診療用ＬＥＤ照明装置によれば、消灯状態から点灯状態までの点灯時間が、１．５秒以下である。すなわち、点灯時間が１．５秒以下であれば、歯科医師等が、点灯の遅れや診療への着手の遅れを感じることが抑えられる。したがって、歯科医師等が快適に診療に着手することができる。
【００３４】
診療用ＬＥＤ照明装置によれば、点灯時間における照度が、線形で上昇した後に非線形で上昇する。この構成により、点灯状態の直前において照度が緩やかに変化するため、被施術者や歯科医師等が視覚に刺激を感じることが抑えられる。したがって、被施術者や歯科医師等の視覚に対する影響を抑え、歯科医師等が早期に診療に着手することができる。
【００３５】
診療用ＬＥＤ照明装置によれば、点灯状態から消灯状態までの消灯時間が、０．２秒以上であり、かつ、０．３秒以下である。すなわち、消灯時間が所定の範囲であれば、被施術者や歯科医師等の視覚に対する影響を抑え、被施術者や歯科医師等が早期に次の動作に移ることができる。
【００３６】
以上、本発明の実施形態を詳述したが、本発明は上記実施形態に限定されるものではない。そして本発明は、特許請求の範囲に記載された事項を逸脱することがなければ、種々の設計変更を行うことが可能である。
【図１】
2019117719.tif 000005
【図２】
2019117719.tif 000006
【図３】
2019117719.tif 000007